(57)【要約】【課題】石鹸液の補給作業を簡単に行うことのできる石鹸液補給装置を提供する。【解決手段】手洗器１２に備えられた石鹸液の補給口２２と、補給口２２より下方の石鹸液タンクとを補給路９６で連絡してなる石鹸液補給装置８４において、補給口２２に、上面に開口部が上向きに設けられて開口部が注入口１１０とされ、前板部１１６が補給口２２の蓋を成す引出容器８６を前後にスライド可能に設け、引出容器８６を引き出した状態で上面の注入口１１０より石鹸液を補給可能とする。【選択図】        図８
2006255227.tif 000002
【特許請求の範囲】
【請求項１】
手洗器等水受器に備えた石鹸液の補給口と、該補給口より下方の石鹸液タンクとを補給路で連絡して成る石鹸液補給装置において
前記補給口に引出容器を前後にスライド可能に設け、該引出容器は上面に開口部が上向きに設けられて該開口部が注入口とされるとともに前板部が該補給口の蓋として構成されており、該引出容器を引き出した状態で該上面の注入口より石鹸液を補給可能となしてあることを特徴とする石鹸液補給装置。
【請求項２】
請求項１において、前記補給口及び引出容器を前記水受器の水受凹部内方の上側に且つ該水受凹部に臨んで配置してあることを特徴とする石鹸液補給装置。
【請求項３】
請求項２において、前記補給口と石鹸液タンクとを結ぶ補給路が密閉構造となしてあり、該補給路及び前記引出容器内に石鹸液を満液状態に注入した状態で該引出容器を該補給路内に押し込んだときの該引出容器からの溢出液を前記水受凹部に落とすようになしてあることを特徴とする石鹸液補給装置。
【請求項４】
請求項１〜３の何れかにおいて、前記補給口の下側に前記引出容器を収納状態にロックするロック機構及びロック解除のための解除操作部が設けてあることを特徴とする石鹸液補給装置。
【請求項５】
請求項１〜４の何れかにおいて、前記補給路を形成する補給管の内側に前記石鹸液タンクからのエア抜きをなすエア抜管が通してあり、且つ該エア抜管の上端が前記引出容器の上面の注入口より高位置に位置させてあることを特徴とする石鹸液補給装置。
【請求項６】
請求項１〜５の何れかにおいて、前記引出容器には、該引出容器内部を通過して前記補給路に入り込む石鹸液に対して濾過作用で異物除去するストレーナが設けてあることを特徴とする石鹸液補給装置。
【発明の詳細な説明】
【技術分野】
【０００１】
この発明は石鹸液を補給口を通じて石鹸液タンクに補給する石鹸液補給装置に関する。
【背景技術】
【０００２】
従来、公共トイレ等において、手洗いの際に手を差し出すと人体検知センサによる検知に基づいて吐出口から石鹸液を自動的に吐出する自動手洗装置が用いられている。
この自動手洗装置では、石鹸液の吐出を繰り返すと石鹸液タンク内の石鹸液の液量が減少するため、石鹸液タンクへの石鹸液の補給を行うことが必要である。
【０００３】
そのための石鹸液補給装置として、従来より各種のものが提案されている。
例えば下記特許文献１に、この種の石鹸液補給装置が開示されている。
図１２及び図１３はその具体例を示している。
図１２において２００は陶器製の手洗器、２０２はその後部から立ち上がるバックガードで、このバックガード２０２のカバー２０４の図中左側面、即ち手洗器２００におけるボウル部（水受凹部）２０６の上端外周縁より外方位置において、石鹸液の補給口２０８が設けられている。
【０００４】
図１３（Ａ）において、２１０は補給口２０８とこれより下方の石鹸液タンクとを連絡するための補給管で、内部に補給路２１２が形成されている。
この補給管２１０は、その端部がベース２１４に形成された筒状部２１６に嵌合状態に接続されている。
【０００５】
この補給管２１０及び筒状部２１６の内側には、短管状をなすフレキ管２１８が軸方向に所定距離移動可能に設けられている。
このフレキ管２１８の図中左端は石鹸液の注入口２２０とされている。
２２４は補給口２０８を閉鎖する蓋で、回転操作によりアーム２２８と補給口２０８の縁部２３０との係合を外して、補給口２０８から取外し可能とされている。
【０００６】
この図１２及び図１３（Ａ）に示す石鹸液補給装置では、石鹸液を補給するに際して、先ず蓋２２４を回転操作して補給口２０８から取り外し、しかる後図１３（Ｂ）に示しているようにフレキ管２１８を補給口２０８から図中左向きに引き出した上で、容器２２６から石鹸液を、注入口２２０を通じて補給路２１２内に注入する。
その後フレキ管２１８を元の位置まで押し込んだ上で、蓋２２４を回転操作して補給口２０８を閉鎖する。
【０００７】
しかしながらこの石鹸液補給装置の場合、石鹸液の補給に際して、蓋２２４を回転操作して補給口２０８から取り外し、その後に補給口２０８の奥にあるフレキ管２１８を摘んで補給口２０８より外部に引き出した上で石鹸液の補給をしなければならず、またその後においては再びフレキ管２１８を元の位置まで押し込んだ上で、蓋２２４を回転操作して補給口２０８を閉鎖する状態にカバー２０４に取り付けなければならず、石鹸液の補給に際しての作業に面倒を伴なう。
また注入口２２０が横向きをなしていて、石鹸液を容器２２６から横向きに注入しなければならず、注入作業がし辛い問題がある。
また注入口２２０に注入し損なった石鹸液が、補給口２０８からカバー２０４とベース２１４との間の隙間に入り込んでしまう恐れがあった。
【０００８】
【特許文献１】特公平７−１１４７５５号公報
【発明の開示】
【発明が解決しようとする課題】
【０００９】
本発明は石鹸液の補給作業を簡単に行うことのできる石鹸液補給装置を提供することを目的としてなされたものである。
また本発明の他の目的は、補給作業の際に石鹸液がこぼれても支障を生ずることのない石鹸液補給装置を提供することを目的とする。
【課題を解決するための手段】
【００１０】
而して請求項１のものは、手洗器等水受器に備えた石鹸液の補給口と、該補給口より下方の石鹸液タンクとを補給路で連絡して成る石鹸液補給装置において、前記補給口に引出容器を前後にスライド可能に設け、該引出容器は上面に開口部が上向きに設けられて該開口部が注入口とされるとともに前板部が該補給口の蓋として構成されており、該引出容器を引き出した状態で該上面の注入口より石鹸液を補給可能となしてあることを特徴とする。
【００１１】
請求項２のものは、請求項１において、前記補給口及び引出容器を前記水受器の水受凹部内方の上側に且つ該水受凹部に臨んで配置してあることを特徴とする。
【００１２】
請求項３のものは、請求項２において、前記補給口と石鹸液タンクとを結ぶ補給路が密閉構造となしてあり、該補給路及び前記引出容器内に石鹸液を満液状態に注入した状態で該引出容器を該補給路内に押し込んだときの該引出容器からの溢出液を前記水受凹部に落とすようになしてあることを特徴とする。
【００１３】
請求項４のものは、請求項１〜３の何れかにおいて、前記補給口の下側に前記引出容器を収納状態にロックするロック機構及びロック解除のための解除操作部が設けてあることを特徴とする。
【００１４】
請求項５のものは、請求項１〜４の何れかにおいて、前記補給路を形成する補給管の内側に前記石鹸液タンクからのエア抜きをなすエア抜管が通してあり、且つ該エア抜管の上端が前記引出容器の上面の注入口より高位置に位置させてあることを特徴とする。
【００１５】
請求項６のものは、請求項１〜５の何れかにおいて、前記引出容器には、該引出容器内部を通過して前記補給路に入り込む石鹸液に対して濾過作用で異物除去するストレーナが設けてあることを特徴とする。
【発明の作用・効果】
【００１６】
以上のように本発明は、上面に開口部が上向きに設けられてその開口部が注入口とされ、前板部が補給口の蓋を成す引出容器を手洗器やキッチンの流し台等の水受器に備えた補給口に前後にスライド可能に設け、その引出容器を引き出した状態で上面の注入口より石鹸液を補給可能となしたもので、本発明によれば、単に引出容器を引き出すだけでワンタッチで石鹸液を補給可能な状態とすることができる。
また石鹸液の補給後においては、単に引出容器を押し込むだけで補給口を閉鎖した状態となすことができる。
しかも本発明では、石鹸液の注入口が引出容器の上面に上向きに設けられているため、その引出容器に対し石鹸液を上から下へと注入することができ、石鹸液の注入作業自体も簡単である。
従って本発明によれば、石鹸液の補給作業を簡単に行うことができる。
【００１７】
請求項２は、補給口及び引出容器を水受器のボウル部等の水受凹部の上側に且つ水受凹部に臨んで配置し、引出状態にある引出容器への石鹸液の注入時にこぼれた石鹸液を水受凹部に落とすようになしたもので、本発明によれば、石鹸液の注入時に石鹸液がこぼれても、そのこぼれた石鹸液は水受凹部に落ちるため、石鹸液の補給に際して石鹸液がこぼれても何ら支障を生じない。
ここで引出容器は、引出状態で少なくとも上面の注入口が水受凹部の上端外周縁より内方に位置するように配置しておくことができる。
【００１８】
本発明ではまた、補給口と石鹸液タンクとを結ぶ補給路を密閉構造となし、補給路及び引出容器内に石鹸液を満液状態まで注入した状態で引出容器を補給路内に押し込んだときの引出容器からの溢出液を水受凹部に落とすようになしておくことができる（請求項３）。
【００１９】
次に請求項４は、補給口の下側に引出容器を収納状態にロックするロック機構及びロック解除のための解除操作部を設けたもので、このようにしておけば、引出容器が何らかの外力によって或いは意図せず不用意に引き出されてしまうのを防止することができる。
一方で引出容器を引き出す必要があるときには、解除操作部を操作することで簡単に引出容器を引出操作することができる。
【００２０】
またこれらロック機構及び解除操作部は、外部から見え難い補給口の下側にあるため、引出容器を収納した状態においてその外観を良好となすことができるとともに、それらロック機構及び解除操作部が見え難い位置にあるため、悪戯等によってそれらが操作されてしまって、引出容器が引き出されてしまうのを防止することができる。
この場合においてロック機構及び解除操作部は、正面から見て引出容器の前板部の後ろに隠れる位置に設けておくことができる。
このようにすれば、より効果的にロック機構及び解除操作部を隠蔽状態とすることができ、解除操作部の操作によって引出容器が引き出されてしまうのをより効果的に防止することができる。
【００２１】
請求項５は、補給路を形成する補給管の内側に石鹸液タンクからのエア抜きをなすエア抜管を通し、そしてそのエア抜管の上端を、引出容器の上面の注入口より高位置に位置させたもので、このようにしておけば、引出容器内に石鹸液を注入し補給する際、石鹸液タンク内のエアが良好に抜き出されて、石鹸液をスムーズに石鹸液タンク内に流し込むことができる。
従ってこの請求項５によれば石鹸液を速い速度で補給することができ、補給作業を短時間で済ませることができるようになる。
【００２２】
次に請求項６は、引出容器内部を通過して補給路に入り込む石鹸液に対し、濾過作用で異物除去するストレーナを引出容器に設けたもので、このようにしておけば、石鹸液の補給の際に石鹸液タンク内に異物が入り込むのを良好に防止することができる。
【発明を実施するための最良の形態】
【００２３】
次に本発明の実施形態を図面に基づいて詳しく説明する。
図１において、１０は自動手洗乾燥装置（ここでは壁掛式）で、陶器製の手洗器１２と、その下部のキャビネット１４及び手洗器１２に装着された機能部ユニット１６とを有している。
機能部ユニット１６はケース１８を有しており、各種機能部がそこに内蔵されている。
ここでケース１８は、ケース本体としての下ケース１８Ａと、その上端の開口を閉鎖する上蓋１８Ｂとを有している。
【００２４】
手洗器１２の後部には、図２及び図３に示しているようにその後端縁に沿って立上る後壁部２４と左右一対の側壁部２６とで囲まれた収容凹部２８が形成されており、図２に示しているようにその収容凹部２８に上記の機能部ユニット１６が収容されている。
機能部ユニット１６は、その後面と側面とがそれぞれ後壁部２４と左右一対の側壁部２６とで囲われており、その前面が手洗器１２のボウル部（水受凹部）３２に向けて開放されている。
ここで収容凹部２８の底部は、機能部ユニット１６を支持する平坦な支持部３０とされている。
尚図２において、３４はボウル部３２に設けられた排水口である。
【００２５】
図１に示しているように、機能部ユニット１６におけるケース１８の前面壁２０には、石鹸液の吐出口４０と対応する人体検知センサ４６，手洗水の吐水口３８と対応する人体検知センサ４４、及び手乾燥用の温風を吹き出す吹出口３６と対応する人体検知センサ４２が設けられている。
ここで吹出口３６は、吹出ノズル４８の先端に左右に細長いスリット状に形成されている。
【００２６】
この自動手洗乾燥装置１０では、石鹸液の吐出口４０の前方に手を差し出すと、人体検知センサ４６がこれを検知して吐出口４０から自動的にムース状の石鹸液（石鹸液に空気を混合して泡状としたもの）を吐出する。
また吐水口３８の前方に手を差し出すと、人体検知センサ４４がこれを検知して吐水口３８から自動的に手洗水としての温水を吐水する。
更に吹出口３６の前方に濡れた手を差し出すと、人体検知センサ４２がこれを検知して吹出口３６から自動的に温風を吹き出し、濡れた手を乾燥させる。
【００２７】
尚図５及び図６に示しているように、機能部ユニット１６におけるケース１８の前面壁２０は、手洗器１２のボウル部３２に臨んで設けられている。
詳しくは、この前面壁２０はその下端縁がボウル部３２の後端且つ上端縁に位置していて、その上端縁に沿って図１中左右方向に延びており、そして下端縁から上方に進むに連れて図５中左向き、即ち上方に進むに連れてボウル部３２の内方且つ中心側に移行する形態の傾斜形状で設けられている。
従って上記石鹸液の吐出口４０，手洗水の吐水口３８，温風の吹出口３６及びそれぞれに対応する人体検知センサ４６，４４，４２もまた、それぞれボウル部３２に臨んで位置している。
より詳しくは、それらの何れもがボウル部３２の後端且つ上端縁よりボウル部３２の内方側に位置していて、それぞれが斜め下向きをなしている。
【００２８】
図１に示しているように、キャビネット１４の内部には排水管５０が設けられており、その上端がボウル部３２の排水口３４に接続されている。
ボウル部３２からの排水は、この排水管５０のトラップ部５２を経て外部に排出される。
【００２９】
キャビネット１４にはまた、その内部且つ下部に石鹸液タンク６０が設けられており、そこに所定量の石鹸液（水石鹸液）が貯溜されるようになっている。
この石鹸液タンク６０からは給液管６２が延び出しており、その給液管６２上に給液ポンプ６４が設けられている。
石鹸液タンク６０内の石鹸液は、この給液ポンプ６４により給液管６２を通じて上記の石鹸液の吐出口４０へと送られる。
７０は空気ポンプで、この空気ポンプ７０により空気が給気管６８を通じて上記石鹸液の吐出口４０に向けて送られる。
石鹸液はこの空気とともに混合されてムース状とされ、吐出口４０からボウル部３２に向けて吐出される。
【００３０】
キャビネット１４の内部にはまた湯水の混合部５４と、温水の供給遮断を行う電磁弁５６とが設けられており、その混合部５４に対し冷水と湯とを供給する配管が接続されている。
混合部５４に供給された冷水と湯とは、ここで所定比率に混合されて適温の混合水とされ、電磁弁５６の開弁により給水管５８を通じて吐水口３８へと送られて、そこからボウル部３２に向けて吐水される。
【００３１】
キャビネット１４の内部には更に、ケース７２の内部に送風機及びヒータを収容した乾燥機本体３５が設けられており、この乾燥機本体３５から送風管７４が上向きに延び出している。
この乾燥機本体３５のケース７２には吸気口７６が設けられており、この吸気口７６から吸入された空気がヒータの加熱作用で温風とされて、送風機による送風作用で送風管７４を通じて吹出口３６へと送られる。
【００３２】
図２に示しているように、吹出ノズル４８は吹出室ケース７８に一体的に設けられている。
吹出室ケース７８の内部には吹出室８０が形成されている。
この吹出室８０は送風路の一部を成しており、乾燥機本体３５から送り出された温風が、送風管７４内部を上向きに流れて送風路の一部をなす吹出室８０内に流入し、吹出口３６から外部に勢い良く吹き出される。
【００３３】
図１において、８４は自動手洗乾燥装置１０における石鹸液補給装置で、機能部ユニット１６におけるケース１８の前面壁２０に設けられた補給口２２、及びこの補給口２２と石鹸液タンク６０とを連絡するための補給管６６を有している。
ここで補給管６６は、石鹸液タンク６０から補給口２２の側に向けて図中上向きに延び出している。
補給口２２は、ボウル部３２の上側においてボウル部３２に臨んで配置されている。
詳しくは、この補給口２２はボウル部３２の上側においてその略全体がボウル部３２の上端外周縁よりもボウル部３２の内方に位置しており、且つボウル部３２内方に向けて斜め下向きをなしている。
【００３４】
図４及び図６に示しているように、この補給口２２には石鹸液の補給を行うための引出容器８６が出入れ可能に、即ち前後にスライド可能に設けられている。
また図６に示しているように、補給口２２の後側且つ機能部ユニット１６におけるケース１８の内部には引出ケース８８が設けられており、この引出ケース８８内部の収納室９０に引出容器８６が前後にスライド可能に保持されている。
この引出ケース８８の奥部且つ底部には開口９２が形成されており、この開口９２の周りから接続管９４が下向きに延び出していて、その接続管９４に上記補給管６６の上端部が嵌合状態に挿込接続されている。
ここで接続管９４の内部及び収納室９０は、それぞれ補給口２２と石鹸液タンク６０とを連絡する補給路９６の一部を成している。
【００３５】
図７に示しているように、引出ケース８８は全体として円筒状をなしており、図中右端即ち奥側の一端が閉鎖されるとともに、図中左端即ち補給口２２側の前端が、前面壁２０の傾斜角度に対応した角度で下向きをなす斜めの開口部９８とされている。
またその円筒状の引出ケース８８の上端に、軸方向に沿って延びる一条のスライドガイド溝１００が設けられている。
【００３６】
一方引出容器８６は、半円筒状をなす本体部１０２と、その後部の円筒状の嵌合部１０４とを有しており、この嵌合部１０４が引出ケース８８の内面にほぼ隙間無く前後にスライド可能に嵌合している。
この嵌合部１０４には、引出ケース８８の上記スライドガイド溝１００に対応する上端位置にスライド突起１０６が設けられていて、このスライド突起１０６が、スライドガイド溝１００にスライド可能に嵌り合っている。
引出容器８６のスライド案内は、これらスライドガイド溝１００とスライド突起１０６とによって行われる。
【００３７】
尚、円筒状をなす嵌合部１０４は、図１１に示しているようにケース１８の前面壁２０に設けられた斜めの補給口２２から取出可能なように、その幅（軸方向の幅）が小さいものとされている。
図７に示しているように、この嵌合部１０４の後端は開口形状とされていて、そこにストレーナ１０８が固設されている。
ここでストレーナ１０８はメッシュ状部材から成っている。
【００３８】
半円筒状をなす本体部１０２は、その上面全体が上向きの開口部とされていて、その開口部が石鹸液の注入口１１０とされている。
この本体部１０２にはまた、半円筒の両端を橋架けするようにしてばね板部１１２が設けられており、そのばね板部１１２の中央部且つ上面に、ストッパ１１４が突出状に設けられている。
このストッパ１１４は、図８に示しているように引出容器８６が一定量引き出されたところでケース１８の前面壁２０に当接して、それ以上の引出しを阻止するストッパとして働く。
尚ばね板部１１２を図中下向きに押して弾性変形させると、前面壁２０に対するストッパ１１４の当接が外れてストッパ作用が解除され、引出容器８６の更なる引出し及び補給口２２からの取外しが可能となる。
【００３９】
引出容器８６の前端には、ケース１８の前面壁２０即ち補給口２２に対応した角度で傾斜する前板部１１６が設けられている。
この前板部１１６は補給口２２の蓋を成すもので、引出容器８６を押し込むことで自動的にこの前板部１１６にて補給口２２が閉鎖された状態となる。
この前板部１１６は、図６に示しているように補給口２２の下端を越えて斜め下向きに延び出す延長部１１８を下部に有しており、この延長部１１８の裏側即ち後側に、同図中の部分拡大図に示しているようにレバー爪１２０が軸１２２周りに回転可能に設けられている。
ここで延長部１１８は、引出容器８６を引き出す際の取手部となる部分である。
【００４０】
このレバー爪１２０は、奥側の先端部に掛止爪部１２４を有しており、この掛止爪部１２４が、ケース１８の底部に設けられた掛止凹部１２６に掛止するようになっている。
引出容器８６は、この掛止爪部１２４の掛止凹部１２６に対する掛止によって収納状態にロックされる。
ここでレバー爪１２０は、ばね１２８にて掛止爪部１２４を掛止凹部１２６に掛止させる向きに常時付勢されている。
このレバー爪１２０の掛止爪部１２４とは反対側の部分は解除操作部１３０とされており、この解除操作部１３０を図中上向き即ち軸１２２に対し時計回りに回転操作することで、掛止爪部１２４と掛止凹部１２６との掛止が外れて、引出容器８６が引出可能な状態となる。
【００４１】
本実施形態においては掛止爪部１２４，掛止凹部１２６，ばね１２８等にて引出容器８６を収納状態にロックするロック機構が構成されている。
またレバー爪１２０における解除操作部１３０はロック機構によるロックを解除する働きをなす部分である。
【００４２】
尚、掛止爪部１２４とケース１８の下面とには、引出容器８６を押し込む際に掛止爪部１２４を軸１２２を中心とする図中時計回りに回転案内するための、湾曲形状のカム面１３２，１３３がそれぞれ形成されている。
また解除操作部１３０と前板部１１６詳しくは延長部１１８には、レバー爪１２０の一定以上の図中反時計回りの回転を規制する回転規制部１３４，１３５が設けられている。
【００４３】
図６に示しているように、上記補給管６６の内部にはエア抜管１３６が挿通されている。
このエア抜管１３６は、内部のエア抜路１３８を通じて石鹸液タンク６０内のエア抜きをするためのもので、かかる石鹸液タンク６０から上向きに立ち上がっており、その上端が引出容器８６の注入口１１０よりも高位置に位置させられている。
ここでエア抜管１３６は、その上端部が引出ケース８８内部において固定部材１４０により引出ケース８８に固定保持されている。
【００４４】
次に本実施形態の石鹸液補給装置８４の作用を説明する。
本実施形態において石鹸液を補給するには、先ず図６に示す収納状態にある引出容器８６を、図８に示すように前方に引き出す。
このときレバー爪１２０の解除操作部１３０を上向きに持ち上げて、掛止爪部１２４と掛止凹部１２６との掛止を解除し、そのまま前板部１１６の延長部１１８を取手として引出容器８６に引出力を加える。
図８はこのようにして引出容器８６を一定量引出ケース８８から引き出した状態を表わしている。
このとき引出容器８６に設けたストッパ１１４がケース１８の前面壁２０に当ってストッパ作用をなし、それ以上の引出容器８６の引出しが規制される。
【００４５】
この状態で容器１４２内に入れた石鹸液を引出容器８６の上面の注入口１１０に注ぎ込むと、引出容器８６の内部に注ぎ込まれた石鹸液が引出容器８６を軸方向に通過し、更に引出ケース８８の内部（収納室９０）、更に補給管６６を通って石鹸液タンク６０内に供給される。
尚、補給される石鹸液は引出容器８６を通過する際に、その後端に設けたストレーナ１０８によって濾過作用を受け、そこで石鹸液に含まれる異物が除去される。
【００４６】
このようにして石鹸液を補給する際、石鹸液タンク６０内のエアがエア抜管１３６を通じて良好にエア抜きされる。
従って石鹸液をスムーズに石鹸液タンク６０内に補給することができ、石鹸液の補給速度を高めることができる。
また引出容器８６の注入口１１０に石鹸液を容器１４２から注入する際、図８に示しているようにこの状態で引出容器８６の注入口１１０は、手洗器１２のボウル部３２の外周縁より内方に位置しているため、引出容器８６から石鹸液がこぼれた場合においても、こぼれた石鹸液はそのままボウル部３２内に落下する。
従って石鹸液の注入に際して石鹸液がこぼれるようなことがあっても何ら支障は生じない。
【００４７】
図９はこのようにして石鹸液を満液状態となるまで補給した状態を表わしている。
この状態で引出容器８６を引出ケース８８内に押し込むと、補給路９６内の石鹸液が引出容器８６から溢れ出すが、この場合においても引出容器８６から溢れ出した石鹸液はそのままボウル部３２に落下するため、石鹸液の補給に際して図９に示すような満液状態となるまで石鹸液を補給しても何ら問題は生じない。
従って安心して且つ速い速度で石鹸液の補給作業を行うことができる。
【００４８】
上記引出容器８６に設けたストレーナ１０８は、これを定期的に掃除しメンテナンス作業することが必要である。
この場合、引出容器８６を補給口２２から取り出すことが必要であるが、この操作は次のようにして簡単に行うことができる。
即ち、図１０に示しているように引出容器８６を前方に引き出すと、あるところでストッパ１１４が前面壁２０に当って引出停止するが、この状態でばね板部１１２を下向きに押して弾性変形させることでストッパ１１４によるストッパ作用を解除でき、従って引続き引出容器８６を一杯まで前方に引き出すことができる。
図１１はこのときの状態を表わしている。
【００４９】
この図１１に示す状態では、円筒状の嵌合部１０４が前面壁２０に当ってそれ以上の引出しは停止されるが、この嵌合部１０４は幅が小さく形成されているため、しかも補給口２２は斜めに形成されているため、引出容器８６を斜めに傾けて或いはそのまま下方に移動させることで、引出容器８６を補給口２２から取り出すことができる。
尚、再び引出容器８６をセットする際の作業は以上とは逆の操作を行えば良い。
【００５０】
以上のような本実施形態の石鹸液補給装置８４によれば、単に引出容器８６を引き出すだけで、ワンタッチで石鹸液を補給可能な状態とすることができる。
また石鹸液の補給後においては、単に引出容器８６を押し込むだけで補給口２２を閉鎖した状態となすことができる。
しかも石鹸液の注入口１１０が引出容器８６の上面に上向きに設けられているため、その引出容器８６に対し石鹸液を上から下へと注入することができ、石鹸液の注入作業自体も簡単である。
従って本実施形態によれば、石鹸液の補給作業を簡単に行うことができる。
【００５１】
また本実施形態によれば、補給口２２及び引出容器８６を手洗器１２のボウル部３２上側に且つボウル部３２に臨んで配置してあるため、石鹸液の注入時に石鹸液がこぼれても、こぼれた石鹸液がボウル部３２に落ち、石鹸液の補給に際して石鹸液がこぼれても何ら支障を生じない。
【００５２】
また本実施形態では補給口２２の下側に、引出容器８６を収納状態にロックするロック機構（掛止爪部１２４，掛止凹部１２６，ばね１２８）及びロック解除のための解除操作部１３０を設けてあるので、引出容器８６が何らかの外力によって或いは意図せず不用意に人によって引き出されてしまうのを防止することができる。
一方で引出容器８６を引き出す必要が生じた際には、解除操作部１３０を操作することで、簡単に引出容器８６を引出操作することができる。
【００５３】
またこれらロック機構１２４，１２６，１２８及び解除操作部１３０は外部から見え難い補給口２２の下側にあるため、引出容器８６を収納した状態においてその外観を良好となすことができるとともに、それらロック機構１２４，１２６，１２８及び解除操作部１３０が見え難い位置にあるため、悪戯等によってそれらが操作されてしまって引出容器８６が引き出されてしまうのを防止することができる。
更にロック機構１２４，１２６，１２８及び解除操作部１３０は、正面から見て引出容器８６の前板部１１６の後ろに隠れる位置に設けてあるため、効果的にロック機構１２４，１２６，１２８及び解除操作部１３０を隠蔽状態とすることができ、解除操作部１３０の操作によって不用意に引出容器８６が引き出されるのをより効果的に防止することができる。
【００５４】
また本実施形態では、補給路９６を形成する補給管６６の内側に石鹸液タンク６０からのエア抜きをなすエア抜管１３６を通し、そしてそのエア抜管１３６の上端を引出容器８６の上面の注入口１１０より高位置に位置させてあるため、引出容器８６内に石鹸液を注入し補給する際、石鹸液タンク６０内のエアが良好に抜き出されて、石鹸液をスムーズに石鹸液タンク６０内に流し込むことができる。
従って石鹸液を速い速度で補給することができ、補給作業を短時間で済ませることができる。
【００５５】
更に本実施形態では、引出容器８６内部を通過して補給路９６に入り込む石鹸液に対して濾過作用で異物除去するストレーナ１０８が引出容器８６の後端に設けてあるので、石鹸液の補給の際に石鹸液タンク６０内に異物が入り込むのを良好に防止することができる。
【００５６】
以上本発明の実施形態を詳述したがこれはあくまで一例示である。
例えば本発明においては、引出容器８６におけるストッパ１１４を省略するとともに、嵌合部１０４の軸方向幅を上例よりも僅かに大きくして、かかる嵌合部１０４自体をケース１８の前面壁２０に当接してストッパ作用をなすストッパとなすことも場合により可能である。
また本発明は、上記のような自動手洗乾燥装置に備えられた石鹸液補給装置のみならず、他の石鹸液補給装置に適用することも可能であるなど、本発明はその趣旨を逸脱しない範囲において種々変更を加えた形態で構成可能である。
【図面の簡単な説明】
【００５７】
【図１】本発明の一実施形態の石鹸液補給装置を含む自動手洗乾燥装置の全体を示す一部切欠正面図である。
【図２】図１の自動手洗乾燥装置の側断面図である。
【図３】図１の機能部ユニットを分解して示す図である。
【図４】図１の自動手洗乾燥装置の上蓋を外した状態の上面図である。
【図５】図１の補給口周辺を拡大して示す断面図である。
【図６】図５の要部拡大図である。
【図７】図６の引出容器と引出ケースとを分解して示す斜視図である。
【図８】石鹸液の補給の際の作用図である。
【図９】石鹸液の補給後の満液状態を示す図である。
【図１０】引出容器を引き出した際のストッパによるストッパ作用を示す図である。
【図１１】図１０の状態からストッパ作用を解除して引出容器を更に引き出した状態を示す図である。
【図１２】従来の自動手洗乾燥装置の一例を示す図である。
【図１３】図１２の自動手洗乾燥装置における石鹸液補給装置を示す図である。
【符号の説明】
【００５８】
１２  手洗器
２２  補給口
３２  ボウル部（水受凹部）
６０  石鹸液タンク
６６  補給管
８４  石鹸液補給装置
８６  引出容器
９６  補給路
１００  スライドガイド溝
１０６  スライド突起
１０８  ストレーナ
１１０  注入口
１１６  前板部
１２４  掛止爪部（ロック機構）
１２６  掛止凹部（ロック機構）
１２８  ばね（ロック機構）
１３０  解除操作部
１３６  エア抜管
【図１】
2006255227.tif 000003
【図２】
2006255227.tif 000004
【図３】
2006255227.tif 000005
【図４】
2006255227.tif 000006
【図５】
2006255227.tif 000007
【図６】
2006255227.tif 000008
【図７】
2006255227.tif 000009
【図８】
2006255227.tif 000010
【図９】
2006255227.tif 000011
【図１０】
2006255227.tif 000012
【図１１】
2006255227.tif 000013
【図１２】
2006255227.tif 000014
【図１３】
2006255227.tif 000015